(57)【要約】【課題】  表示面を内側に向けて折り畳んだ状態であっても、各スピーカーから放出されるステレオ再生音が聴取しづらくなることのない携帯通信端末を提供する。【解決手段】  一主面に表示面５が設けられる薄型の表示筐体２と、多数の操作キーからなる操作面６を有する操作筐体３と、各筐体を折り畳み可能に連結する連結部４からなり、表示面５及び操作面６を対向させて折り畳んだ通常クローズ状態と、表示面５及び操作面６を同一方向に向けて両筐体を展開させた通常オープン状態と、表示面５を外側に向けて折り畳んだ逆クローズ状態とを遷移可能な携帯通信端末１であって、表示筐体２内に設けられ、振動面を表示面５側に向けて配置される２つのスピーカー２０ａ及び２０ｂと、表示筐体２において対向する２つの端面にそれぞれ設けられ、各スピーカー２０ａ及び２０ｂにそれぞれ連通する再生音出力用の２つの開口２２ａ及び２２ｂを備えて構成される。【選択図】  図１
2006140568.tif 000002
【特許請求の範囲】
【請求項１】
一主面に表示面が設けられる薄型の表示筐体と、多数の操作キーからなる操作面を有する操作筐体と、表示筐体及び操作筐体を折り畳み可能に連結する連結部とからなる携帯通信端末において、
上記表示筐体内に設けられ、振動面を表示面側に向け表示面に沿って配置される２つのスピーカーと、
上記表示筐体における端面であって、対向する２つの端面にそれぞれ設けられ、上記各スピーカーにそれぞれ連通する再生音出力用の２つの開口とを備えたことを特徴とする携帯通信端末。
【請求項２】
上記各スピーカーは、表示筐体における表示面よりも連結部側にそれぞれ設けられることを特徴とする請求項１に記載の携帯通信端末。
【請求項３】
上記表示筐体は、表示面が液晶パネルからなり、
上記各スピーカーは、いずれもその一部分を上記液晶パネルの形成領域に重複させて配置されることを特徴とする請求項１に記載の携帯通信端末。
【請求項４】
上記表示筐体内に設けられ、上記各スピーカーにおける振動面の前面側にスピーカーごとに形成される再生音の出力空間を上記各開口にそれぞれ連通させる２つの連通路を備え、
上記各出力空間及び連通路は、いずれもその壁面を開口側に向けて傾斜させて形成されることを特徴とする請求項１に記載の携帯通信端末。
【請求項５】
上記表示筐体は、表示面が液晶パネルからなり、
上記各スピーカーは、いずれもその一部分を上記液晶パネルの形成領域に重複させて配置され、液晶パネルの形成領域との非重複部分に上記出力空間が形成されることを特徴とする請求項４に記載の携帯通信端末。
【請求項６】
その前面に上記表示面としての液晶パネルを配置するとともに、その背面における上記液晶パネルよりも連結部側に上記各スピーカーを配置する金属フレームと、
上記表示筐体内における上記金属フレームの背面側に配置される遮音壁と、
上記表示筐体内における上記金属フレームの背面側であって上記液晶パネルの背面側に形成され、上記各スピーカーの背面側に連通する音響空間とを備え、
上記遮音壁は、両スピーカーを結ぶ直線上に形成されるスピーカー壁部と、
一端が上記スピーカー壁部に連結され、他端を上記液晶パネルの背面側へ延伸させた延伸部とからなることを特徴とする請求項１に記載の携帯通信端末。
【請求項７】
表示面及び操作面を対向させて折り畳んだ通常クローズ状態、表示面及び操作面を同一方向に向けて両筐体を展開させた通常オープン状態、及び、表示面を外側に向けて折り畳んだ逆クローズ状態を遷移可能であり、表示面及び操作面を反対方向に向けて両筐体を展開させた逆オープン状態を通常オープン状態及び逆クローズ状態間の遷移過程において経由させる携帯通信端末であって、
端末がいずれの状態にあるのかを識別する端末状態識別手段と、
端末状態の識別結果を記憶する端末状態記憶手段と、
端末が逆オープン状態にある場合に、直前の端末状態に基づいて上記各スピーカーを駆動し、左右のチャンネルからなるステレオ再生音を出力させるスピーカー駆動制御手段とを備えたことを特徴とする請求項１に記載の携帯通信端末。
【請求項８】
上記スピーカー駆動制御手段は、通常オープン状態から逆オープン状態へ遷移する場合、及び、逆クローズ状態から逆オープン状態へ遷移する場合に、状態遷移の前後でチャンネルを切り替えずに各スピーカーを駆動することを特徴とする請求項７に記載の携帯通信端末。
【請求項９】
上記各スピーカーにより出力されるステレオ再生音における左右のチャンネルの切り替えに応じて、各スピーカーに対するチャンネル割り当てを上記表示筐体における表示面上に画面表示するチャンネル割り当て表示手段を備えたことを特徴とする請求項７に記載の携帯通信端末。
【請求項１０】
上記チャンネル割り当て表示手段は、端末が逆オープン状態から逆クローズ状態に遷移した場合、及び、逆オープン状態から通常オープン状態に遷移した場合に、状態遷移から所定期間が経過するまでチャンネル割り当てを画面表示することを特徴とする請求項９に記載の携帯通信端末。
【請求項１１】
左右のチャンネルからなる音声信号に対して位相特性が異なる信号を付加し、上記各スピーカーによるステレオ再生音におけるサウンドイメージを立体化する信号処理手段を備えたことを特徴とする請求項１に記載の携帯通信端末。
【発明の詳細な説明】
【技術分野】
【０００１】
本発明は、折り畳み式携帯電話機などの携帯通信端末に係り、さらに詳しくは、表示面を外側に向けて折り畳むことができる携帯通信端末の改良に関する。特に、端末が折り畳まれた状態であっても、サウンドイメージが立体化されたステレオ再生音を効果的に放出させることができる携帯通信端末に関する。
【背景技術】
【０００２】
携帯電話機は、携帯性の向上という観点から、より小型軽量であることが求められている。ところが、操作性を考慮すれば、多数の操作キーからなる操作パネルの小型化には限界がある。加えて、メインとなる表示面の画面サイズについては大型化が求められている。この様な相反する要求を両立させるため、最近の携帯電話機では、メインディスプレイからなる表示面が設けられる表示筐体と、操作面が設けられる操作筐体とをヒンジによって連結し、表示面及び操作面を対向させて折り畳むことができるものが主流となっている。
【０００３】
さらに、折り畳み用の第１回転軸だけでなく、第１回転軸に直交する第２回転軸を有する２軸ヒンジを用いることにより、表示面を外側に向け、操作面を内側に向けて折り畳めるようにした携帯電話機が従来から提案されている（例えば、特許文献１）。この様な折り畳み式携帯電話機は、メインディスプレイを外側にして折り畳めば、折り畳んで端末をコンパクトに収納させた状態であるにもかかわらず、メインディスプレイの表示画面を閲覧することができるので、極めて便利である。
【０００４】
近年、筐体に２つのスピーカーを設け、２チャンネルのステレオ再生音を出力することができる携帯電話機が提案されている。ところが、この様な携帯電話機を上述した折り畳み式にしようとすると、端末状態によっては各スピーカーから放出されるステレオ再生音が聴取しづらくなってしまうという問題があった。すなわち、表示面を内側に向けて折り畳んだ状態では、各スピーカーによる出力音を放出させるために表示パネルに設けられる開口が操作筐体によって塞がれてしまうので、再生音が聴取しづらくなるという問題があった。
【０００５】
なお、特許文献２には、表示筐体において表示面を有する表示パネルと、表示面に対向する背面パネルのそれぞれに開口を設け、当該開口ごとにスピーカーを配置することにより、表示筐体の表示面側及びその反対側のいずれからでも受話音が聴取可能な折り畳み式携帯電話機が記載されている。
【０００６】
そこで、この様なスピーカーをステレオ再生音の出力用に２組設けることにより、表示面を内側に向けて折り畳んだ状態であっても、ステレオ再生音が聴取しやすくなるようにすることが考えられる。しかし、ステレオ再生音の出力に要するスピーカーの数が倍増するので、製造コストが増大するとともに、表示筐体の厚みが増してしまうという問題があった。
【特許文献１】特開２００２−１７１１８９号公報
【特許文献２】特開２００２−１１８６３３号公報
【発明の開示】
【発明が解決しようとする課題】
【０００７】
上述した通り、従来の折り畳み式携帯電話機では、端末状態によって各スピーカーから放出されるステレオ再生音が聴取しづらくなるという問題があった。また、ステレオ再生音の出力に要するスピーカーの数が倍増するので、製造コスト及び表示筐体の厚みが増大するという問題があった。
【０００８】
本発明は、上記事情に鑑みてなされたものであり、端末がいかなる状態にあっても、ステレオ再生音を常に良好に聴取することができる携帯通信端末を提供することを目的としている。特に、表示面を内側に向けて折り畳んだ状態であっても、各スピーカーから放出されるステレオ再生音が聴取しづらくなることのない携帯通信端末を提供することを目的としている。
【０００９】
本発明の他の目的は、表示筐体の厚みが増大したり、表示筐体が大型化することなく、各スピーカーにより出力されるステレオ再生音の音質を向上させることができる携帯通信端末を提供することにある。また、端末状態に応じてステレオ再生音の出力を適切に行うことができるとともに、操作性を向上させた携帯通信端末を提供することにある。
【課題を解決するための手段】
【００１０】
本発明による携帯通信端末は、一主面に表示面が設けられる薄型の表示筐体と、多数の操作キーからなる操作面を有する操作筐体と、表示筐体及び操作筐体を折り畳み可能に連結する連結部とからなる携帯通信端末であって、上記表示筐体内に設けられ、振動面を表示面側に向け表示面に沿って配置される２つのスピーカーと、上記表示筐体における端面であって、対向する２つの端面にそれぞれ設けられ、上記各スピーカーにそれぞれ連通する再生音出力用の２つの開口とを備えて構成される。
【００１１】
この様な構成により、表示筐体において対向する２つの端面に再生音出力用の開口がそれぞれ設けられるので、端末がいかなる状態にあっても、ステレオ再生音を常に良好に聴取することができる。特に、表示面が内側となる端末状態であっても、スピーカーに連通する上記各開口が操作筐体によって塞がれるようなことはないので、各スピーカーから放出されるステレオ再生音が聴取しづらくなるのを防止することができる。
【００１２】
本発明による携帯通信端末は、上記構成に加え、上記各スピーカーが、表示筐体における表示面よりも連結部側にそれぞれ設けられるように構成される。この様な構成によれば、表示筐体における各スピーカーの配列方向の長さが増大するのを抑制することができる。
【００１３】
また、本発明による携帯通信端末は、上記構成に加え、上記表示筐体が、表示面が液晶パネルからなり、上記各スピーカーが、いずれもその一部分を上記液晶パネルの形成領域に重複させて配置されるように構成される。この様な構成によれば、各スピーカーを液晶パネルの形成領域と重複して配置することによって、表示筐体における各スピーカーの配列方向に垂直な方向の長さを短縮化することができる。
【００１４】
また、本発明による携帯通信端末は、上記構成に加え、上記表示筐体内に設けられ、上記各スピーカーにおける振動面の前面側にスピーカーごとに形成される再生音の出力空間を上記各開口にそれぞれ連通させる２つの連通路を備え、上記各出力空間及び連通路が、いずれもその壁面を開口側に向けて傾斜させて形成されるように構成される。この様な構成によれば、表示筐体内において各スピーカーの振動面を表示面側に向けて配置することによって、振動面を端面側に向けて配置するのに比べ、表示筐体の厚みを薄型化することができる。その際、スピーカーの前面側に形成される再生音の出力空間と連通する連通路を介し、対向する２つの端面にそれぞれ設けられた開口から各スピーカーによるステレオ再生音が放出されるので、ステレオ再生音を端末の周囲に効果的に伝播させることができる。
【００１５】
特に、上記表示筐体が、表示面が液晶パネルからなり、上記各スピーカーが、いずれもその一部分を上記液晶パネルの形成領域に重複させて配置され、液晶パネルの形成領域との非重複部分に上記出力空間が形成されるように構成される。この様な構成により、液晶パネルとの非重複部分に上記出力空間を形成するので、表示筐体における上記配列方向に垂直な方向の長さ及び表示筐体の厚みを増大させることなく、各スピーカーのサイズを大型化することができる。従って、表示筐体が大型化することなく、各スピーカーにより出力されるステレオ再生音の音質を向上させることができる。
【００１６】
また、本発明による携帯通信端末は、上記構成に加え、その前面に上記表示面としての液晶パネルを配置するとともに、その背面における上記液晶パネルよりも連結部側に上記各スピーカーを配置する金属フレームと、上記表示筐体内における上記金属フレームの背面側に配置される遮音壁と、上記表示筐体内における上記金属フレームの背面側であって上記液晶パネルの背面側に形成され、上記各スピーカーの背面側に連通する音響空間とを備え、上記遮音壁が、両スピーカーを結ぶ直線上に形成されるスピーカー壁部と、一端が上記スピーカー壁部に連結され、他端を上記液晶パネルの背面側へ延伸させた延伸部とからなるように構成される。
【００１７】
遮音壁をスピーカー壁部及び延伸部により構成することにより、一方のスピーカーの背面から放出された再生音が他方のスピーカー側に伝搬するのを抑制することができる。その際、液晶パネルの背面側に形成される音響空間が各スピーカーの背面側に連通するので、上記再生音を音響空間に伝播させることができる。従って、再生音が音響空間において十分に拡散され、各スピーカーの背面側における再生音の拡散領域を拡大することができるので、再生音の音圧を向上させることができる。
【００１８】
また、本発明による携帯通信端末は、上記構成に加え、表示面及び操作面を対向させて折り畳んだ通常クローズ状態、表示面及び操作面を同一方向に向けて両筐体を展開させた通常オープン状態、及び、表示面を外側に向けて折り畳んだ逆クローズ状態を遷移可能であり、表示面及び操作面を反対方向に向けて両筐体を展開させた逆オープン状態を通常オープン状態及び逆クローズ状態間の遷移過程において経由させる携帯通信端末であって、端末がいずれの状態にあるのかを識別する端末状態識別手段と、端末状態の識別結果を記憶する端末状態記憶手段と、端末が逆オープン状態にある場合に、直前の端末状態に基づいて上記各スピーカーを駆動し、左右のチャンネルからなるステレオ再生音を出力させるスピーカー駆動制御手段とを備えて構成される。
【００１９】
この様な構成により、端末状態の識別結果が記憶され、直前の端末状態に基づいてステレオ再生音における左右のチャンネルが切り替えられる逆オープン状態が通常オープン状態及び逆クローズ状態間の遷移過程で経由されるので、端末状態の遷移経路に応じて適切に左右のチャンネルを切り替えて各スピーカーを駆動することができる。
【００２０】
具体的には、上記スピーカー駆動制御手段が、通常オープン状態から逆オープン状態へ遷移する場合、及び、逆クローズ状態から逆オープン状態へ遷移する場合に、状態遷移の前後でチャンネルを切り替えずに各スピーカーを駆動するように構成される。この様な構成によれば、誤操作によって左右のチャンネルが切り替わるのを抑制することができるので、操作性を向上させることができる。
【００２１】
また、本発明による携帯通信端末は、上記構成に加え、上記各スピーカーにより出力されるステレオ再生音における左右のチャンネルの切り替えに応じて、各スピーカーに対するチャンネル割り当てを上記表示筐体における表示面上に画面表示するチャンネル割り当て表示手段を備えて構成される。
【００２２】
特に、上記チャンネル割り当て表示手段が、端末が逆オープン状態から逆クローズ状態に遷移した場合、及び、逆オープン状態から通常オープン状態に遷移した場合に、状態遷移から所定期間が経過するまでチャンネル割り当てを画面表示するように構成される。この様な構成によれば、左右のチャンネルの切り替えに応じて各スピーカーに対するチャンネル割り当てが画面表示されるので、各スピーカーから放出されるステレオ再生音における左右のチャンネルを端末操作者に正しく認識させることができる。特に、端末状態の遷移によって左右のチャンネルが切り替わる場合に、その状態遷移から所定期間が経過するまでチャンネル割り当てが画面表示されるので、注意を喚起させるのに効果的である。
【００２３】
また、本発明による携帯通信端末は、上記構成に加え、左右のチャンネルからなる音声信号に対して位相特性が異なる信号を付加し、上記各スピーカーによるステレオ再生音におけるサウンドイメージを立体化する信号処理手段を備えて構成される。
【発明の効果】
【００２４】
本発明による携帯通信端末によれば、端末がいかなる状態にあっても、ステレオ再生音を常に良好に聴取することができる。特に、表示面が内側となる通常クローズ状態であっても、スピーカーに連通する上記各開口が操作筐体によって塞がれるようなことはないので、各スピーカーから放出されるステレオ再生音が聴取しづらくなるのを防止することができる。
【００２５】
また、表示筐体における各スピーカーの配列方向に垂直な方向の長さ及び表示筐体の厚みを増大させることなく、各スピーカーのサイズを大型化することができるので、表示筐体が大型化することなく、各スピーカーにより出力されるステレオ再生音の音質を向上させることができる。また、端末状態の遷移経路に応じて適切に左右のチャンネルを切り替えて各スピーカーが駆動されるので、ステレオ再生音の出力を適切に行うことができるとともに、誤操作によって左右のチャンネルが切り替わるのを抑制することができ、端末の操作性を向上させることができる。
【発明を実施するための最良の形態】
【００２６】
実施の形態１．
図１（ａ）及び（ｂ）は、本発明の実施の形態１による携帯通信端末の一構成例を示した平面図であり、図１（ａ）には、表示面５及び操作面６を同一方向に向けて展開させた通常オープン状態が示され、図１（ｂ）には、表示面５及び操作面６を内側に向けて折り畳んだ通常クローズ状態が示されている。また、図２（ａ）及び（ｂ）は、図１の携帯通信端末における端末状態の一例を示した平面図であり、図２（ａ）には、表示面５及び操作面６を反対方向に向けて展開させた逆オープン状態が示され、図２（ｂ）には、表示面５を外側に向けて折り畳んだ逆クローズ状態が示されている。
【００２７】
本実施の形態による携帯通信端末１は、いわゆる回転型クラムシェル機構を有する折り畳み式の携帯電話機であり、表示面５を有する表示筐体２と、操作面６を有する操作筐体３と、各筐体を折り畳み可能に連結する連結部４とからなる。
【００２８】
表示筐体２は、薄型の箱体（ケーシング）であり、対向する２つの主面のうち、一方の主面が表示パネル、他方の主面が背面パネルとなっている。表示パネルには、メインディスプレイとしての液晶パネルからなる表示面５と、レシーバー用の２つの受話音孔７ａ及び７ｂとが設けられている。各受話音孔７ａ及び７ｂは、表示面５を挟んで表示筐体２の長手方向における両端部にそれぞれ配置されている。すなわち、各受話音孔７ａ及び７ｂは、表示筐体２の表示パネル上における連結部４側と、連結部４とは反対側にそれぞれ配置されている。
【００２９】
背面パネルには、メインディスプレイよりも表示画面が小さいサブディスプレイ１９が設けられている。
【００３０】
操作筐体３は、表示筐体２と同一形状の箱体であり、一方の主面（前面）上に、各種操作キーからなる操作面６と、送話用のマイクロフォン（音声入力素子）８とが設けられている。各種操作キーとしては、撮影モードキー１２、電話帳検索モードキー１３、方向キー１４、オンフックキー１５、オフフックキー１６及び番号キーなどが設けられている。マイクロフォン８は、連結部４に対し操作面６を挟んで操作筐体３の長手方向における端部に配置されている。すなわち、マイクロフォン８は、連結部４と反対側に配置されている。
【００３１】
操作筐体３における他方の主面（背面）上には、撮像素子からなるデジタルカメラなどが設けられている。また、操作筐体３の右側面には、デジタルカメラによる撮影時にシャッター操作を行うためのサイドキー１７が設けられ、左側面には、発信操作や、着信時における応答操作を行うためのサイドキー１８が設けられている。
【００３２】
連結部４は、直交する２つの回転軸１０及び１１を有する２軸ヒンジ９からなり、表示面５及び操作面６の交線に平行な回転軸（第１回転軸）１１により表示筐体２及び操作筐体３を開閉可能に連結するとともに、表示筐体２の長手方向に平行な回転軸（第２回転軸）１０により両筐体を回転可能に連結している。回転軸１１は、操作筐体３の長手方向における先端面に沿って配置され、回転軸１０は、表示筐体２の短手方向における中心位置に配置されている。
【００３３】
この連結部４により、表示面５及び操作面６を対向させて折り畳んだ端末状態（以下、通常クローズ状態という）と、表示面５及び操作面６を同一方向に向けて両筐体を展開させた端末状態（以下、通常オープン状態という）と、表示面５及び操作面６を反対方向に向けて両筐体を展開させた端末状態（以下、逆オープン状態という）と、表示面５を外側に向けて折り畳んだ端末状態（以下、逆クローズ状態という）とが遷移可能となっている。つまり、通常オープン状態及び逆クローズ状態間の遷移過程では、逆オープン状態が必ず経由される構成となっている。
【００３４】
この様な携帯通信端末１の表示筐体２には、ステレオ再生音を出力するための２つのスピーカー２０ａ及び２０ｂが設けられている。各スピーカー２０ａ及び２０ｂは、いずれも表示筐体２内に設けられる音声出力素子であり、振動面を表示面５側に向けて配置されている。すなわち、各スピーカー２０ａ及び２０ｂの正面方向をそれぞれ表示面５側に向け、振動面が表示面５と平行になるように配置されている。表示筐体２内においてスピーカーの振動面を表示面５側に向けて配置することによって、振動面を端面側に向けて配置するのに比べ、表示筐体２の厚みを薄型化することができる。
【００３５】
また、各スピーカー２０ａ及び２０ｂは、表示面５に沿って配置され、表示筐体２において表示面５よりも連結部４側となる位置にそれぞれ取り付けられている。すなわち、各スピーカー２０ａ及び２０ｂは、いずれもその一部分を液晶パネルの形成領域に重複させて表示面５における連結部４側の一端に沿って配置されている。スピーカーを液晶パネルの形成領域と重複して配置することによって、表示筐体２における各スピーカー２０ａ及び２０ｂの配列方向に垂直な方向の長さを短縮化することができる。なお、各スピーカー２０ａ及び２０ｂの配列方向は、表示筐体２の短手方向、すなわち、回転軸１１に平行となっている。
【００３６】
各スピーカー２０ａ及び２０ｂは、連通路２１を介して２つの開口２２ａ及び２２ｂにそれぞれ連通している。各開口２２ａ及び２２ｂは、表示筐体２において対向する２つの端面にそれぞれ設けられるステレオ再生音出力用の音孔である。表示筐体２において対向する端面に再生音出力用の開口がそれぞれ設けられるので、端末がいかなる状態にあっても、ステレオ再生音を常に良好に聴取することができる。特に、表示面５が内側となる通常クローズ状態であっても、スピーカーに連通する各開口２２ａ及び２２ｂが操作筐体３によって塞がれるようなことはないので、各スピーカー２０ａ及び２０ｂから放出されるステレオ再生音が聴取しづらくなるのを防止することができる。
【００３７】
連通路２１は、スピーカーにおける振動面の前面側に形成される再生音の出力空間を外部空間に通気させる音声伝搬路である。上記出力空間及び連通路２１の壁面は、いずれも開口側に向けて傾斜させて形成される。すなわち、連通路２１は、スピーカーから開口に近づくに従って広くなっている。具体的には、連通路２１において表示面５に垂直な対向する２つの壁面のうち、表示面５側の壁面は、表示面５の短辺に平行となっており、表示面５とは反対側の壁面は、表示筐体２の側面側に向けて傾斜する傾斜面となっている。
【００３８】
この様な傾斜している壁面を有する連通路２１及び出力空間によって、ホーン構造が形成されるので、各スピーカー２０ａ及び２０ｂによる再生音の放射効率を向上させることができる。なお、ここでは、通常オープン状態において表示筐体２を表示面５側から見て右側に配置されるスピーカーを右スピーカー２０ａとし、左側に配置されるスピーカーを左スピーカー２０ｂとする。
【００３９】
図３（ａ）〜（ｄ）は、図１の携帯通信端末における端末状態の一例を示した状態遷移図であり、図３（ａ）には、通常クローズ状態の様子が示され、図３（ｂ）には、通常オープン状態の様子が示されている。また、図３（ｃ）には、逆オープン状態の様子が示され、図３（ｄ）には、逆クローズ状態の様子が示されている。
【００４０】
通常クローズ状態は、表示パネル面５ａ及び操作パネル面６ａを対向させながら両筐体をクローズした状態、すなわち、収納させた状態であり、端末は待ち受けモードとなっている。この通常クローズ状態から両筐体をオープンさせると、通常オープン状態となる。
【００４１】
通常オープン状態では、オフフックキー１６による発信操作や、着信時における応答操作、通話、デジタルカメラ２３による撮影操作、電子メールの編集操作、受信した電子メールの閲覧操作、電話帳の検索操作などが行われる。発信時や着信時には、入力した発信先電話番号や発信元番号などがメインディスプレイに表示される。また、撮影時には、撮影した画像がメインディスプレイにファインダーとして表示される。
【００４２】
この様な通常オープン状態では、受話音孔７ａを用いて通話が行われる。通常オープン状態から操作筐体３に対し表示筐体２を回転軸１０のまわりに１８０°回転させると、逆オープン状態となる。
【００４３】
逆オープン状態では、操作筐体３の背面を端末操作者側に向け、サイドキー１７による自己撮影が行われる（自分撮りモード）。この逆オープン状態から表示パネル５ａを外側に向けて両筐体をクローズさせると、逆クローズ状態となる。
【００４４】
逆クローズ状態（ビューワスタイル状態ともいう）では、サイドキー１８による発信操作や、着信時における応答操作、通話、撮影操作、メール受信時における閲覧操作などが行われる。この逆クローズ状態では、受話音孔７ｂを用いて通話が行われる。受話音孔７ｂは、逆クローズ状態においてマイクロフォン８から最も遠い位置となるので、適切に通話を行うことができる。
【００４５】
図４は、図１の携帯通信端末における要部詳細の一例を示した断面図であり、Ａ１−Ａ１線で切断した表示筐体２内の様子が示されている。また、図５は、図１の携帯通信端末における要部詳細の一例を示した平面図であり、表示筐体２内に設けられる金属フレーム２６を表示パネル５ａとは反対側から見た様子が示されている。また、図６は、図５の金属フレームをＡ２−Ａ２線で切断した断面図である。
【００４６】
表示筐体２内には、筐体の剛性を向上させるために金属フレーム２６が装着されている。この金属フレーム２６は、マグネシウムなどの軽量な金属部材からなり、液晶パネル３１、各スピーカー２０ａ及び２０ｂがそれぞれ配置される。金属フレーム２６の前面側、すなわち、表示パネル５ａ側に液晶パネル３１が配置され、背面側に各スピーカー２０ａ及び２０ｂが配置されている。金属フレーム２６は、各スピーカー２０ａ及び２０ｂを液晶パネル３１よりも連結部４側において保持している。
【００４７】
各スピーカー２０ａ及び２０ｂは、それぞれ再生音を発生させる円板状の振動板２４と、振動板２４を駆動する駆動部２５からなり、振動板２４の一部分を液晶パネル３１の形成領域と重複させて配置される。ここでは、振動板２４の１／２を上記形成領域と重複させて配置されるものとする。
【００４８】
金属フレーム２６には、各スピーカー２０ａ及び２０ｂにおける液晶パネル３１との非重複部分に対応付けて、前述した再生音の出力空間２７が形成されている。この出力空間２７は、スピーカーごとに形成されている。
【００４９】
一般に、スピーカーから再生音を効果的に放出させるには、振動板の前面側に出力空間、すなわち、中空領域を設ける必要がある。この様な中空領域を液晶パネル３１の形成領域内に設けようとすると、液晶パネル３１を前進させて配置しなければならず、表示筐体２の厚みを増大させることになる。これに対し、上述した様に出力空間２７を上記形成領域との重複部分には設けずに、非重複部分にのみ設けることによって、表示筐体２の厚みを増大させることなく、表示筐体２の長手方向の長さを短縮させることができる。
【００５０】
出力空間２７の壁面２８及び連通路２１の壁面２９は、開口２２ａ及び２２ｂ側に向けていずれも傾斜させて形成されている。具体的には、開口２２ａ及び２２ｂに近づくに従って表示筐体２の厚み方向に空間部分が拡がるように、振動板２４に対向する壁面２８及び２９を傾斜させて出力空間２７及び連通路２１が形成されている。
【００５１】
この様な出力空間２７及び連通路２１によるホーン構造によって再生音の放射効率が向上するので、効果的にステレオ再生音を端末周囲に伝播させることができる。特に、再生音において低音側の音圧レベルの低下を抑制させることができるので、拡がり感のあるステレオサウンドを聴取者に聴取させることができる。
【００５２】
金属フレーム２６背面側のスピーカー形成領域は、隔壁２６ａによって仕切られている。隔壁２６ａは、基板面から突出させて設けられる線状のリブであり、スピーカーの周囲を３６０°取り囲んでスピーカーごとに形成されている。この隔壁２６ａによって各スピーカー２０ａ及び２０ｂは、上下左右方向に関して位置決めされている。隔壁２６ａの一部には、駆動部２５からの配線を引き出すための切り欠き３０が形成されている。また、金属フレーム２６は、端部に設けられる係止部２６ｂにより表示筐体２に取り付けられる。
【００５３】
なお、表示筐体２内における金属フレーム２６の背面側には、空隙Ａ５が形成され、後述するように、表示筐体２の厚み方向に関して空隙Ａ５を埋める充填材３５が設けられている。
【００５４】
図７（ａ）及び（ｂ）は、図１の携帯通信端末における要部詳細の一例を示した平面図であり、図７（ａ）には、ステレオ再生音出力用のスピーカー２０ａ及び２０ｂにおける背面の様子が示され、図７（ｂ）には、側面の様子が示されている。このスピーカー２０ａ及び２０ｂは、振動板２４及び駆動部２５が樹脂製のスピーカー筐体３３内に収容されている。振動板２４は、主面が振動面２４ａとなっており、駆動部２５は、振動板２４における振動面２４ａとは反対側、すなわち、背面側に中心軸を一致させて配置されている。
【００５５】
図８は、図１の携帯通信端末内における要部詳細の一例を従来のものと比較して示した図であり、表示筐体２を背面側から見た様子が示されている。また、図９は、図１の携帯通信端末内における要部詳細を示した断面図であり、図８のＡ３−Ａ３線で切断した表示筐体２内の様子が示されている。
【００５６】
表示筐体２の表示パネルに設けられる２つの開口からステレオ再生音を出力する従来の携帯通信端末では、表示筐体内２における各スピーカー２０ａ及び２０ｂの背面側に充填材１０１が配置される。充填材１０１は、ステレオ再生音の出力時に一方のスピーカーにより生成された再生音が他方のスピーカー側に伝搬するのを遮るための遮音壁であり、各スピーカー２０ａ及び２０ｂの駆動部２５をそれぞれ取り囲んで形成される。
【００５７】
これに対し、本実施の形態では、左右のチャンネルが混じり合うことなく、各スピーカー２０ａ及び２０ｂの背面から放出された再生音を表示筐体２の先端側へ拡散させている。具体的には、充填材３５が、スピーカーを上下に縦断する縦断部３８と、スピーカーにおける駆動部２５の周囲に沿って設けられるスピーカー壁部３９と、表示筐体２の先端側へ延伸する延伸部３６及び３７により構成される。
【００５８】
スピーカー壁部３９は、スピーカー２０ａ及び２０ｂごとに設けられ、両スピーカー２０ａ及び２０ｂを結ぶ直線上に形成されている。このスピーカー壁部３９は、各スピーカー２０ａ及び２０ｂの背面で生じた再生音が一方のスピーカーから他方のスピーカー側に直接に伝搬するのを遮る遮音壁となっている。ここでは、スピーカー壁部３９が各スピーカー２０ａ及び２０ｂの配列方向に関してスピーカーの内側に１８０°にわたって形成されるものとする。
【００５９】
縦断部３８は、各スピーカー２０ａ及び２０ｂの背面に重複させてスピーカーごとに形成され、駆動部２５の中心を含んで上下方向に縦断している。この縦断部３８は、スピーカー及び表示筐体２の間に設けることによって、スピーカーを金属フレーム２６側へ押圧するクッション材となっており、各スピーカー２０ａ及び２０ｂを背面側から支持している。これにより、携帯通信端末の落下などによって生じる衝撃により、各スピーカー２０ａ及び２０ｂが表示筐体２の内面に衝突するのが抑制されるので、スピーカーの破損を防止することができる。ここでは、スピーカー壁部３９及び縦断部３８が連結部４側で連結しているものとする。
【００６０】
延伸部３６及び３７は、表示筐体２における連結部４とは反対側へ延伸させて金属フレーム２６の中央部に形成され、幅を狭小化させた凹部３７と、幅が広い先端部３６からなる。凹部３７は、液晶パネル３１の背面側に形成され、一端がスピーカー壁部３９及び縦断部３８に連結し、他端が先端部３６に連結している。この凹部３７は、表示筐体２内における金属フレーム２６の背面側に形成される音響空間Ａ４を左右に分割する仕切りとなっており、各スピーカー２０ａ及び２０ｂから伝搬した再生音が一方の音響空間Ａ４から他方の音響空間Ａ４に伝播するのを抑制している。
【００６１】
音響空間Ａ４は、再生音を拡散させるための空隙であり、各スピーカー２０ａ及び２０ｂの配列方向に関してスピーカーの中心よりも外側に形成される空隙Ａ５に連通している。このため、各スピーカー２０ａ及び２０ｂの背面から放出された再生音は、空隙Ａ５を介して表示筐体２の先端側へ伝搬し、音響空間Ａ４に達することになる。従って、再生音が音響空間Ａ４において十分に拡散され、各スピーカーの背面側における再生音の拡散領域を拡大することができる。特に、左右のチャンネルを独立させて再生音が拡散されるので、再生音の音圧を向上させることができる。
【００６２】
先端部３６は、表示筐体２内に配置されるレシーバー３４よりも連結部４側に形成されている。この様な先端部３６を設けることにより、各スピーカー２０ａ及び２０ｂの背面で生じた再生音がレシーバー３４側に伝搬するのが抑制され、再生音がレシーバー３４による受話音と干渉するのを防止することができる。
【００６３】
この様な充填材３５を設けることにより、各スピーカー２０ａ及び２０ｂの背面で生じた再生音を拡散させる拡散領域を拡大することができるので、効果的にステレオ再生音を放出させることができる。特に、液晶パネル３１の背面側に形成される広い空隙が再生音の音響空間Ａ４となるので、再生音の音圧が向上し、低音の音量感が豊かなステレオ再生を行うことができる。
【００６４】
本実施の形態によれば、表示面５が内側となる通常クローズ状態であっても、スピーカーに連通する各開口２２ａ及び２２ｂが操作筐体３によって塞がれるようなことはないので、各スピーカー２０ａ及び２０ｂから放出されるステレオ再生音が聴取しづらくなるのを防止することができる。
【００６５】
また、再生音の出力空間２７と連通する連通路２１を介し、対向する端面にそれぞれ設けられた開口２２ａ及び２２ｂからステレオ再生音が放出されるので、ステレオ再生音を端末の周囲に効果的に伝播させることができる。特に、表示筐体２が大型化することなく、各スピーカー２０ａ及び２０ｂのサイズを大型化することができるので、各スピーカーにより出力されるステレオ再生音の音質を向上させることができる。
【００６６】
なお、本実施の形態では、各スピーカー２０ａ及び２０ｂによってステレオ再生音が出力される場合の例について説明したが、本発明はこれに限られるものではない。例えば、各スピーカー２０ａ及び２０ｂによるステレオ再生音におけるサウンドイメージを立体化するための音声信号の処理手段を備えるようなものであっても良い。すなわち、左右のチャンネルからなる音声信号に対して位相特性が異なる信号を付加する信号処理部を設けることにより、各スピーカーから放出される再生音による音像定位を３次元化するようなものであっても良い。音像定位を３次元化することによって、いわゆるサラウンド効果を得ようとするものに本発明を適用することにより、より拡がり感のあるステレオ再生音を得ることができる。
【００６７】
実施の形態２．
実施の形態１では、表示筐体２の両側面に開口２２ａ及び２２ｂを設けて再生音を放出させることによって、表示面５が内側となる端末状態にあってもステレオ再生音を良好に聴取することができる携帯通信端末の例について説明した。これに対し、本実施の形態では、端末状態に応じて左右のチャンネルを切り替えてステレオ再生音の出力を行う場合について説明する。
【００６８】
図１０は、本発明の実施の形態２による携帯通信端末における要部詳細の一例を示した斜視図であり、端末状態を検出するための開閉検出センサー（マグネット４１及びホール素子４２）及び回転・非回転検出センサー（マグネット４３及びホール素子４４）の配置の様子が示されている。
【００６９】
開閉検出センサーは、ホール効果を利用する磁気センサーであり、表示筐体２及び操作筐体３の開閉状態の検出を行っている。この開閉検出センサーは、マグネット４１及びホール素子４２からなる。マグネット４１は、直方体形状の小型の磁石であり、表示筐体２の先端部に埋設されている。ホール素子４２は、小型の集積回路（ＩＣ）からなり、操作筐体３における連結部４と反対側の端部に埋設されている。これらのマグネット４１及びホール素子４２は、それぞれ筐体の短手方向における中心位置に設けられ、通常クローズ状態及び逆クローズ状態において対向するように配置されている。
【００７０】
特に、マグネット４１は、回転軸１０の中心線上に配置されている。これにより、操作筐体３に対し表示筐体２が回転状態にあるか、或いは、非回転状態にあるかにかかわらず、両筐体の開閉状態を検出することができる。
【００７１】
回転・非回転検出センサーは、表示筐体２及び操作筐体３の回転・非回転状態を検出するための磁気センサーであり、マグネット４３及びホール素子４４からなる。マグネット４３は、表示筐体２におけるヒンジ９側の端部に埋設され、ホール素子４４は、ヒンジ９に埋設されている。これらのマグネット４３及びホール素子４４は、それぞれ回転軸１０に対しオフセットさせて設けられ、通常オープン状態において対向するように配置されている。
【００７２】
各ホール素子４２及び４４は、磁界の強さに基づいてオンオフし、検出信号を出力している。ここでは、磁界の強さが所定の閾値を超えるとオン状態となり、磁界の強さが閾値以下となるとオフ状態となるものとする。
【００７３】
図１１（ａ）及び（ｂ）は、図１０の開閉検出センサーにおける検出動作の一例を示した状態遷移図であり、図１１（ａ）には、ホール素子４２がオン状態となる通常クローズ状態が示され、図１１（ｂ）には、両筐体が僅かにオープンされ、検出信号の電圧レベルが切り替わる端末状態が示されている。
【００７４】
回転軸１１に関し、操作筐体３に対する表示筐体２の回転角θが臨界角θｃを超えると、検出信号の電圧レベルは切り替わる。つまり、回転角θが臨界角θｃ以下となると、ホール素子４２がオン状態となり、端末はクローズ状態であるとみなされる。一方、回転角θが臨界角θｃを超えると、ホール素子４２がオフ状態となり、端末はオープン状態であるとみなされる。なお、臨界角θｃは、ホール素子４２における閾値によって決定される。
【００７５】
逆クローズ状態及び逆オープン状態間で遷移させる場合も、上述した通常クローズ状態及び通常オープン状態間で遷移させる場合と同様にして、開閉状態の検出が行われる。この様にして、開閉検出センサーを用いることにより、両筐体が閉じた状態であるのか、或いは、開いた状態であるのかを識別することができる。
【００７６】
図１２（ａ）及び（ｂ）は、図１０の回転・非回転検出センサーにおける検出動作の一例を示した状態遷移図であり、図１２（ａ）には、ホール素子４４がオン状態となる非回転状態が示され、図１２（ｂ）には、操作筐体３に対し表示筐体２が僅かに回転され、検出信号の電圧レベルが切り替わる端末状態が示されている。
【００７７】
回転軸１０に関し、操作筐体３に対する表示筐体２の回転角φが臨界角φｃを超えると、検出信号の電圧レベルは切り替わる。つまり、回転角φが臨界角φｃ以下となると、ホール素子４４はオン状態となり、端末は非回転状態であるとみなされる。一方、回転角φが臨界角φｃを超えると、ホール素子４４はオフ状態となり、端末は回転状態であるとみなされる。なお、臨界角φｃは、ホール素子４４における閾値によって決定される。
【００７８】
開閉検出センサー及び回転・非回転検出センサーによる検出結果に基づいて、各端末状態、すなわち、通常クローズ状態、通常オープン状態、逆オープン状態及び逆クローズ状態の識別が行われる。具体的には、クローズ状態であり、かつ、非回転状態である場合に通常クローズ状態とみなされ、オープン状態であり、かつ、非回転状態である場合に通常オープン状態とみなされる。また、オープン状態であり、かつ、回転状態である場合に逆オープン状態とみなされ、クローズ状態であり、かつ、回転状態である場合に逆クローズ状態とみなされる。
【００７９】
この様な携帯通信端末４０において、端末状態の遷移経路に応じた各スピーカー２０ａ及び２０ｂの駆動制御が行われる。
【００８０】
図１３は、図１０の携帯通信端末内における機能構成の一例を示したブロック図であり、ステレオ再生音における左右のチャンネル切り替え動作に係る構成が示されている。この携帯通信端末４０は、主制御部５０、アンテナ５１、無線通信部５２、操作入力部５３、開閉検出センサー５４、回転・非回転検出センサー５５、音声入力部５６、音声出力部５７、端末状態識別部５８、スピーカー駆動制御部５９、端末状態記憶部６０及び画面表示制御部６１により構成される。
【００８１】
端末状態識別部５８は、携帯通信端末４０がいずれの端末状態にあるかの識別を行っている。この端末状態の識別処理は、開閉検出センサー５４及び回転・非回転検出センサー５５による検出結果に基づいて行われる。
【００８２】
具体的には、検出信号がＤＳＰ（Digital Signal Processor）によりデジタル処理され、端末状態の識別結果が出力される。端末状態の識別結果は、端末状態記憶部６０により時系列に記憶される。
【００８３】
スピーカー駆動制御部５９は、端末状態の識別結果に基づいて、各スピーカー２０ａ及び２０ｂの駆動制御を行っている。この駆動制御は、端末が逆オープン状態にある場合に、直前の端末状態に基づいて各スピーカー２０ａ及び２０ｂを駆動し、左右のチャンネルからなるステレオ再生音を出力させることを特徴としている。つまり、ステレオ再生音における左右のチャンネルの切り替えは、時系列に記憶された端末状態の識別履歴に基づいて行われる。
【００８４】
例えば、通常オープン状態から逆オープン状態へ遷移する場合に、状態遷移の前後でチャンネルを切り替えずに各スピーカー２０ａ及び２０ｂが駆動される。すなわち、通常オープン状態から逆オープン状態に遷移した場合、逆オープン状態では、通常オープン状態におけるチャンネル割り当てと同一のチャンネル割り当てで各スピーカー２０ａ及び２０ｂが駆動される。これにより、端末が通常オープン状態にあるときに、表示筐体２を操作筐体３に対して僅かに回転させただけで、左右のチャンネルが切り替わるのを防止することができる。
【００８５】
また、逆クローズ状態から逆オープン状態へ遷移する場合に、状態遷移の前後でチャンネルを切り替えずに各スピーカー２０ａ及び２０ｂが駆動される。すなわち、逆クローズ状態から逆オープン状態に遷移した場合、逆オープン状態では、逆クローズ状態におけるチャンネル割り当てと同一のチャンネル割り当てで各スピーカー２０ａ及び２０ｂが駆動される。これにより、端末が逆クローズ状態にあるときに、表示筐体２及び操作筐体３を僅かにオープンさせただけで左右のチャンネルが切り替わるのを防止することができる。
【００８６】
逆オープン状態を除く各端末状態では、端末操作者から見て右側となるスピーカーからは右チャンネルの再生音が出力され、左側となるスピーカーからは左チャンネルの再生音が出力される。すなわち、通常クローズ状態及び通常オープン状態では、操作筐体３の操作面６側から見て右側となる右スピーカー２０ａから右チャンネルの再生音が出力され、左側となる左スピーカー２０ｂから左チャンネルの再生音が出力される（以下、この状態をノーマル状態という）。また、逆クローズ状態では、左右のチャンネルが反転され、操作筐体３の操作面６側から見て右側となる左スピーカー２０ｂから右チャンネルの再生音が出力され、左側となる右スピーカー２０ａから左チャンネルの再生音が出力される。
【００８７】
ここでは、ステレオ再生音における左右のチャンネルの切り替えと同様に、画面表示も端末状態に応じて切り替えられるものとする。すなわち、端末状態の識別結果に基づいて、メインディスプレイにおける画面表示の向きを表示面５の向きに対して切り替える制御が行われる。
【００８８】
具体的には、逆オープン状態を除く各端末状態において、端末操作者から見て上下が正立するように画面表示が行われる。すなわち、通常クローズ状態及び通常オープン状態では、操作筐体３の操作面６側から見て画像が正立するように、表示面５に対して正立状態で画面表示が行われ、逆クローズ状態では、画面表示の向きが反転され、表示面５に対して倒立状態で画面表示が行われる。
【００８９】
また、通常オープン状態から逆オープン状態へ遷移する場合に、状態遷移の前後で画面表示の向きを切り替えずに液晶パネルを駆動する制御が行われる。これにより、端末が通常オープン状態にあるときに、表示筐体２を操作筐体３に対して僅かに回転させただけで、画面表示の向きが切り替わるのを防止することができる。
【００９０】
また、逆クローズ状態から逆オープン状態へ遷移する場合に、状態遷移の前後で画面表示の向きを切り替えずに液晶パネルを駆動する制御が行われる。これにより、端末が逆クローズ状態にあるときに、表示筐体２及び操作筐体３を僅かにオープンさせただけで画面表示の向きが切り替わるのを防止することができる。
【００９１】
前述したステレオ再生音における左右のチャンネル切り替えは、画面表示の向きの切り替えに連動させて行われる。これにより、端末がいかなる端末状態にあっても、左右のチャンネルをメインディスプレイにおける画面表示に常に合致させることができる。
【００９２】
図１４は、図１０の携帯通信端末における履歴動作の一例を示した図であり、メインディスプレイにおける画面表示と、各スピーカー２０ａ及び２０ｂによるステレオ再生音における左右のチャンネル割り当ての各動作状況が端末状態ごとに示されている。通常クローズ状態（状態［１］）では、開閉検出センサー５４及び回転・非回転検出センサー５５がともにオン（ＯＮ）状態となり、画面表示は表示面５に対して正立状態、左右のチャンネル割り当てはノーマル状態となる。
【００９３】
通常オープン状態（状態［２］）では、開閉検出センサー５４がオフ（ＯＦＦ）状態となり、回転・非回転検出センサー５５がオン状態となる。この状態では、画面表示及びチャンネル割り当ては通常クローズ状態と同一となっている。逆クローズ状態（状態［４］）では、開閉検出センサー５４がオン状態となり、回転・非回転検出センサー５５がオフ状態となって、画面表示は表示面５に対して倒立状態、左右のチャンネル割り当ては左右が切り替えられた状態となる。
【００９４】
逆オープン状態では、開閉検出センサー５４及び回転・非回転検出センサー５５がともにオフ状態となる。このとき、画面表示及びチャンネル割り当ては、いずれも切り替えずに直前の状態が保持される。
【００９５】
本実施の形態では、画面表示制御部６１により、左右のチャンネルの切り替えに応じて、各スピーカー２０ａ及び２０ｂに対するチャンネル割り当てをメインディスプレイ上に画面表示する制御が行われる。具体的には、端末が逆オープン状態から逆クローズ状態に遷移した場合、及び、逆オープン状態から通常オープン状態に遷移した場合に、状態遷移から所定期間が経過するまでチャンネル割り当てがピクト表示、すなわち、絵文字によって表示される。
【００９６】
図１５及び図１６は、図１０の携帯通信端末におけるチャンネル割り当ての画面表示の動作例を示した図であり、図１５には、通常オープン状態においてメインディスプレイ上に表示されるチャンネル割り当ての様子が示され、また、図１６には、逆クローズ状態において表示されるチャンネル割り当ての様子が示されている。
【００９７】
メインディスプレイ上に画面表示されるチャンネル割り当てのピクト表示７１は、ステレオ再生音における左右のチャンネルの切り替え動作に連動して表示される。すなわち、端末が逆オープン状態から逆クローズ状態に遷移した場合、及び、逆オープン状態から通常オープン状態に遷移した場合のいずれの場合にも、左右のチャンネルが状態遷移の前後で切り替えられるが、この切り替え動作に基づいて、状態遷移の直後から所定期間、例えば、数秒間だけ、各スピーカー２０ａ及び２０ｂに対するチャンネル割り当てを示すピクト表示７１が画面表示される。
【００９８】
この様なピクト表示７１は、いずれの端末状態においても、表示画面上のスピーカー２０ａ及び２０ｂ側となる位置に表示される。すなわち、通常オープン状態では、表示画面上において手前側となる位置に表示され、逆クローズ状態では、表示画面上において奥手側となる位置に表示される。
【００９９】
この様な構成により、左右のチャンネルの切り替えに応じて各スピーカー２０ａ及び２０ｂに対するチャンネル割り当てが画面表示されるので、左右のチャンネルを端末操作者に正しく認識させることができる。特に、端末状態の遷移によって左右のチャンネルが切り替わる場合に、その状態遷移から所定期間だけチャンネル割り当てを表示させることによって、注意を喚起させるのに効果的である。
【０１００】
図１７のステップＳ１０１〜Ｓ１１２は、図１０の携帯通信端末における履歴動作の一例を示したフローチャートである。まず、端末状態記憶部６０における記憶領域が初期化され、端末状態として通常オープン状態（状態［２］）が格納される（ステップＳ１０１）。
【０１０１】
次に、端末状態識別部５８は、開閉検出センサー５４及び回転・非回転検出センサー５５による検出信号に基づいて、端末がいずれの端末状態にあるかの状態検出を行う（ステップＳ１０２）。この状態検出では、開閉検出センサー５４がオン状態であって、回転・非回転検出センサー５５がオフ状態である場合、逆クローズ状態であると判別され、左右のチャンネルを切り替えて各スピーカー２０ａ及び２０ｂが駆動される（ステップＳ１０３，Ｓ１０８）。このとき、逆クローズ状態（状態［４］）が端末状態記憶部６０に格納される（ステップＳ１０９）。
【０１０２】
また、開閉検出センサー５４がオフ状態であって、回転・非回転検出センサー５５がオン状態である場合、通常オープン状態であると判別され、ノーマル状態で各スピーカー２０ａ及び２０ｂが駆動される（ステップＳ１０４，Ｓ１１０）。このとき、通常オープン状態（状態［２］）が端末状態記憶部６０に格納される（ステップＳ１１１）。
【０１０３】
また、開閉検出センサー５４及び回転・非回転検出センサー５５がいずれもオン状態である場合、通常クローズ状態であると判別され、ノーマル状態で各スピーカー２０ａ及び２０ｂが駆動される（ステップＳ１０５，Ｓ１１２）。
【０１０４】
また、開閉検出センサー５４及び回転・非回転検出センサー５５がいずれもオフ状態である場合、逆オープン状態であると判別される。このとき、端末状態記憶部６０における記憶内容が状態［２］であれば、通常オープン状態からの遷移であるとみなされ、左右のチャンネルの切り替えは行わず、ノーマル状態を保持したまま各スピーカー２０ａ及び２０ｂが駆動される（ステップＳ１０６，Ｓ１１２）。記憶内容が状態［２］でなければ、逆クローズ状態からの遷移であるとみなされ、左右のチャンネルを切り替えた状態が保持される（ステップＳ１０７）。
【０１０５】
本実施の形態によれば、端末状態の遷移経路に応じて適切に左右のチャンネルを切り替えて各スピーカー２０ａ及び２０ｂが駆動されるので、誤操作によって左右のチャンネルが切り替わるのを抑制することができ、操作性を向上させることができる。
【図面の簡単な説明】
【０１０６】
【図１】本発明の実施の形態１による携帯通信端末の一構成例を示した平面図である。
【図２】図１の携帯通信端末における端末状態の一例を示した平面図である。
【図３】図１の携帯通信端末における端末状態の一例を示した状態遷移図である。
【図４】図１の携帯通信端末における要部詳細の一例を示した断面図であり、Ａ１−Ａ１線で切断した表示筐体２内の様子が示されている。
【図５】図１の携帯通信端末における要部詳細の一例を示した平面図である。
【図６】図５の金属フレームをＡ２−Ａ２線で切断した断面図である。
【図７】図１の携帯通信端末における要部詳細の一例を示した平面図であり、ステレオ再生音出力用のスピーカー２０ａ及び２０ｂの様子が示されている。
【図８】図１の携帯通信端末内における要部詳細の一例を従来のものと比較して示した図であり、表示筐体２を背面側から見た様子が示されている。
【図９】図１の携帯通信端末内における要部詳細を示した断面図であり、図８のＡ３−Ａ３線で切断した表示筐体２内の様子が示されている。
【図１０】本発明の実施の形態２による携帯通信端末における要部詳細の一例を示した斜視図である。
【図１１】図１０の開閉検出センサーにおける検出動作の一例を示した状態遷移図である。
【図１２】図１０の回転・非回転検出センサーにおける検出動作の一例を示した状態遷移図である。
【図１３】図１０の携帯通信端末内における機能構成の一例を示したブロック図であり、ステレオ再生音における左右のチャンネル切り替え動作に係る構成が示されている。
【図１４】図１０の携帯通信端末における履歴動作の一例を示した図である。
【図１５】図１０の携帯通信端末におけるチャンネル割り当ての画面表示の動作例を示した図である。
【図１６】図１０の携帯通信端末におけるチャンネル割り当ての画面表示の動作例を示した図である。
【図１７】図１０の携帯通信端末における履歴動作の一例を示したフローチャートである。
【符号の説明】
【０１０７】
１  携帯通信端末
２  表示筐体
３  操作筐体
４  連結部
５  表示面
６  操作面
７ａ，７ｂ  受話音孔
８  マイクロフォン
９  ２軸ヒンジ
２０ａ  右スピーカー
２０ｂ  左スピーカー
２１  連通路
２２ａ,２２ｂ  開口
２４  振動板
２４ａ  振動面
２５  駆動部
２６  金属フレーム
２７  出力空間
２８,２９  壁面
３１  液晶パネル
３３  スピーカー筐体
３４  レシーバー
３５  充填材
３６  先端部
３７  凹部
３８  縦断部
３９  スピーカー壁部
４０  携帯通信端末
４１,４３  マグネット
４２，４４  ホール素子
５８  端末状態識別部
５９  スピーカー駆動制御部
６０  端末状態記憶部
６１  画面表示制御部
７１  ピクト表示
Ａ４  音響空間
Ａ５  空隙
【図１】
2006140568.tif 000003
【図２】
2006140568.tif 000004
【図３】
2006140568.tif 000005
【図４】
2006140568.tif 000006
【図５】
2006140568.tif 000007
【図６】
2006140568.tif 000008
【図７】
2006140568.tif 000009
【図８】
2006140568.tif 000010
【図９】
2006140568.tif 000011
【図１０】
2006140568.tif 000012
【図１１】
2006140568.tif 000013
【図１２】
2006140568.tif 000014
【図１３】
2006140568.tif 000015
【図１４】
2006140568.tif 000016
【図１５】
2006140568.tif 000017
【図１６】
2006140568.tif 000018
【図１７】
2006140568.tif 000019